(57)【特許請求の範囲】
【請求項１】
測定対象物に装着可能な筒状のエンベロップと、このエンベロップ内に設けられる線状
のフィラメントと、測定対象物への装着方向を前としてエンベロップの後側を気密保持す
る第１の端子台と、第１の端子台に相互に電気的に絶縁して貫装される複数本の接続端子
と、エンベロップ内でいずれかの接続端子により支持される前後方向に長手の第１のフィ
ラメントサポートとを備え、フィラメントが第１のフィラメントサポートの前端部といず
れか他の接続端子との間に架設されるピラニ真空計において、
エンベロップ内で第１の端子台の前側に位置させて第２の端子台を更に備え、接続端子
が第１の端子台に貫装される第１部分と第２の端子台に貫装される第２部分と第１部分と
第２部分とを互い連結する第３部分とに分けて構成され、第２の端子台と第１のフィラメ
ントサポートの前端部とを夫々保持する保持部と両保持部間を連結する連結部とを有する
第２のフィラメントサポートを設けてなることを特徴とするピラニ真空計。
【請求項２】
前記第２のフィラメントサポートは、前記保持部と前記連結部とを一体に備えて前記第
２の端子台と前記第１のフィラメントサポートとを格納する筒体で構成されることを特徴
とする請求項１記載のピラニ真空計。
【請求項３】
前記第１のフィラメントサポートと前記第２のフィラメントサポートとが一体に形成されていることを特徴とする請求項１記載のピラニ真空計。
【発明の詳細な説明】
【技術分野】
【０００１】
本発明は、ピラニ真空計に関し、より詳しくは、振動や衝撃によるフィラメントの断線を効果的に抑制できる構造を持つものに関する。
【背景技術】
【０００２】
この種のピラニ真空計は例えば特許文献１で知られている。このものは、気密容器や真空チャンバなどの測定対象物に装着可能な筒状のエンベロップと、このエンベロップの内に設けられる線状のフィラメントと、測定対象物への装着方向を前としてエンベロップの後側を気密保持する端子台と、端子台に相互に電気的に絶縁して貫装される複数本の接続端子とを備える。また、エンベロップ内でいずれかの接続端子により支持される前後方向に長手のフィラメントサポートを更に備え、フィラメントは、フィラメントサポートの前端部と、いずれか他の接続端子との間に架設されている。一般に、フィラメントサポートは、線径がφ１ｍｍ程度の金属製線材で構成されている。
【０００３】
ここで、上記従来例のものでは、例えば測定対象物からの振動や衝撃が加わった場合、フィラメントとフィラメントサポートとは、夫々が連結される接続端子を起点として互いに独立して揺動することになる。その結果、フィラメントに不要な引張張力が作用する場合があり、これに起因してフィラメントが断線するという不具合がある。
【先行技術文献】
【特許文献】
【０００４】
【特許文献１】国際公開２００６／０５７１４８号
【発明の概要】
【発明が解決しようとする課題】
【０００５】
本発明は、以上の点に鑑み、振動や衝撃によるフィラメントの断線を効果的に抑制できる構造を持つピラニ真空計を提供することをその課題とするものである。
【課題を解決するための手段】
【０００６】
上記課題を解決するために、本発明のピラニ真空計は、測定対象物に装着可能な筒状のエンベロップと、このエンベロップ内に設けられる線状のフィラメントと、測定対象物への装着方向を前としてエンベロップの後側を気密保持する第１の端子台と、第１の端子台に相互に電気的に絶縁して貫装される複数本の接続端子と、エンベロップ内でいずれかの接続端子により支持される前後方向に長手の第１のフィラメントサポートとを備え、フィラメントが第１のフィラメントサポートの前端部といずれか他の接続端子との間に架設され、エンベロップ内で第１の端子台の前側に位置させて第２の端子台を更に備え、接続端子が第１の端子台に貫装される第１部分と第２の端子台に貫装される第２部分と第１部分と第２部分とを互い連結する第３部分とに分けて構成され、第２の端子台と第１のフィラメントサポートの前端部とを夫々保持する保持部と両保持部間を連結する連結部とを有する第２のフィラメントサポートを設けてなることを特徴とする。
【０００７】
本発明によれば、第２のフィラメントサポートで第２の端子台と第１のフィラメントサポートとが一体に保持される構成となり、例えば測定対象物からの振動や衝撃が加わった場合、接続端子の第３部分を起点として、第２のフィラメントサポートで保持される第２の端子台と第１のフィラメントサポートとが一体に揺動するため、フィラメントに不要な引張張力が作用することが防止される。従って、本発明のピラニ真空計は、振動や衝撃によるフィラメントの断線を効果的に抑制できる構造を持つものとなる。
【０００８】
また、本発明においては、前記第２のフィラメントサポートは、前記保持部と前記連結部とを一体に備えて前記第２の端子台と前記第１のフィラメントサポートとを格納する筒体で構成されることが好ましい。これによれば、第２の端子台と第１のフィラメントサポートとを一体に保持する構成を簡単に実現できてよい。更に、前記第１のフィラメントサポートと前記第２のフィラメントサポートとが一体に形成されている構成を採用してもよい。
【図面の簡単な説明】
【０００９】
【図１】本発明の実施形態のピラニ真空計の構成を説明する断面図。
【図２】図１に示すピラニ真空計に振動が発生した状態を示す部分省略断面図。
【発明を実施するための形態】
【００１０】
以下、図面を参照して、本発明の実施形態のピラニ真空計を説明する。以下においては、図外の測定対象物に対する装着方向を「前（図１中、上方向）」、その取外方向を「後（図１中、下方向）」として方向を示す用語を用いる。
【００１１】
図１を参照して、ＰＧは、本実施形態のピラニ真空計である。ピラニ真空計ＰＧは、前端に取付フランジ１１を備える筒状のエンベロップ１を備える。エンベロップ１の後端は第１の端子台２により気密に閉塞されている。第１の端子台２には、相互に電気的に絶縁させ且つ気密保持させて複数本（図１中、二本）の接続端子３１，３２の第１部分３ａが貫装されている。第１の端子台２は、所謂ハーメチックシールで構成することができる。
【００１２】
エンベロップ１内で第１の端子台２の前側に位置させて第２の端子台４が設けられている。第２の端子台４には、接続端子３１，３２の第２部分３ｂが相互に電気的に絶縁させて貫装されている。この場合、第２の端子台４は、径方向（前後方向と直交する方向）にのびて第１部分３ａと第２部分３ｂとを互い連結する接続端子３１，３２の第３部分３ｃで支持されている。第２の端子台４もまた所謂ハーメチックシールで構成することができる。なお、接続端子３１，３２の各部分３ａ，３ｂ，３ｃは、複数本の金属製ピン状部材を半田や溶接等により互いに連結して形成することができ、また、一本の金属製ピン状部材をＺ字状に成形して一体で形成することもできる。
【００１３】
エンベロップ１内には、一方の接続端子３１の第２部分３ｂで支持させて、前後方向（図１中、上下方向）に長手の第１のフィラメントサポート５が設けられている。第１のフィラメントサポート５は、前端部をエンベロップ１の内方に向けて屈曲させた金属製の棒状または板状の部材で構成される。この場合、例えば、第１のフィラメントサポート５の下端部を第２の端子台４に貫装し、接続端子３１の第２部分３ｂ及び第３部分３ｃを第１のフィラメントサポート５と一体に形成するようにしてもよい。第１のフィラメントサポート５前端の屈曲部分５１と、他方の接続端子３２の第２部分３ｂとの間には、線状のフィラメント６が架設されている。フィラメント６としては、線径がφ２５μｍ程度の金属製線材が用いられる。そして、第２の端子台４と第１のフィラメントサポート５の屈曲部分５１とを夫々保持する保持部７１，７２と両保持部７１，７２間を連結する連結部７３とを有する第２のフィラメントサポート７が設けられている。
【００１４】
本実施形態では、第２のフィラメントサポート７は、保持部７１，７２と連結部７３とを一体に備えて第２の端子台４と第１のフィラメントサポート５とを格納する金属製の筒体で構成されている。この場合、筒体としての第２のフィラメントサポート７の下端が開口され、この開口を介して第２の端子台４に嵌着されている。他方、第２のフィラメントサポート７の上端は閉塞され、この上端面に屈曲部分５１が接合されている。また、第２のフィラメントサポート７の側壁には、フィラメント６を臨む開口７４が開設されている。なお、特に図示して説明しないが、第２のフィラメントサポート７には、接続端子３２の第２部分３ｂからフィラメント６、第１のフィラメントサポート５を経て他の接続端子３１の第２部分３ｂに流れる電流をショートしないように適宜絶縁体が設けられる。
【００１５】
上記実施形態によれば、第２のフィラメントサポート７で第２の端子台４と第１のフィラメントサポート５とが一体に保持される構成となり、例えば測定対象物からの振動や衝撃が加わった場合、図２に示すように、接続端子３１，３２の第３部分３ｂを起点として、第２のフィラメントサポート７で保持される第２の端子台４と第１のフィラメントサポート５とが一体に揺動するため、フィラメント６に不要な引張張力が作用することが防止される。従って、本実施形態のピラニ真空計ＰＧは、振動や衝撃によるフィラメント６の断線を効果的に抑制できる構造を持つものにできる。
【００１６】
以上、本発明の実施形態について説明したが、本発明は上記のものに限定されるものではない。上記実施形態では、第２のフィラメントサポート７を筒体で形成したものを例に説明したが、第２のフィラメントサポート７で第２の端子台４と第１のフィラメントサポート５とが一体に保持されるものであれば、上記に限定されるものではなく、保持部７１，７２と連結部７３とを別部品で構成することもできる。また、上記実施形態では、接続端子３１，３２の第１部分３ａと第２部分３ｂとをこれらに直交するように配置される第３部分３ｃで連結したものを例に説明したが、振動発生時に、第３部分３ｂを起点として、第２のフィラメントサポート７で保持される第２の端子台４と第１のフィラメントサポート５とが一体に揺動するものであれば、その形態は問わない。
【００１７】
更に、上記実施形態では、第１のフィラメントサポート５と第２のフィラメントサポート７とを別体とし、第２のフィラメントサポート７で第２の端子台４と共に第１のフィラメントサポート５を一体に保持させるものを例に説明したが、これに限定されるものではなく、フィラメントサポートの製造時、公知の方法で第１のフィラメントサポート５と第２のフィラメントサポート７とを一体に形成することもできる。
【符号の説明】
【００１８】
ＰＧ…ピラニ真空計、１…エンベロップ、２…第１の端子台、３１，３２…接続端子、３ａ…第１部分（接続端子）、３ｂ…第２部分（接続端子）、３ｃ…第３部分（接続端子）、４…第２の端子台、５…第１のフィラメントサポート、６…フィラメント、７…第２のフィラメントサポート。
【図１】
0006595945.tif 000002
【図２】
0006595945.tif 000003